(57)【要約】【課題】  ユーザへ過去に録画した番組の関連番組を検索する手段を提供することが可能な映像記録・再生装置を提供する。【解決手段】  番組を録画・再生する映像記録・再生装置であって、当該装置が録画した番組情報を記憶するための録画実績データベースと、前記データベースを用いて関連番組中の未録画番組を検出する検出手段と、かく検出した番組の放送予定を外部から受信した番組表データから検索する検索手段と、かく検索した番組の録画予約を実施する録画予約手段とを具備することを特徴とする映像記録・再生装置。【選択図】      図２
2008294526.tif 000002
【特許請求の範囲】
【請求項１】
番組を録画・再生する映像記録・再生装置であって、
当該装置が録画した番組情報を記憶するための録画実績データベースと、
前記データベースを用いて関連番組中の未録画番組を検出する検出手段と、
かく検出した番組の放送予定を外部から受信した番組表データから検索する検索手段と、
かく検索した番組の録画予約を実施する録画予約手段とを
具備することを特徴とする映像記録・再生装置。
【請求項２】
ユーザの前記未録画番組の放送予定が見つからない場合の録画予約待ち状態を解除する手段を更に有することを特徴とする請求項１に記載の映像記録・再生装置。
【請求項３】
前記未録画番組検出手段において、前記録画実績データベースに記録された放送開始時刻または終了時刻または録画実行時刻の情報を用いて、録画時間が不足していた番組も未録画番組として検出する機能を有することを特徴とする請求項１に記載の映像記録・再生装置。
【請求項４】
前記未録画番組検出手段は、録画済みの番組データを削除した、あるいはメディアに移動したとの情報を用いて、削除した番組のシリーズ番組は未録画番組として検出しない機能をするものであることを特徴とする請求項１に記載の映像記録・再生装置。
【発明の詳細な説明】
【技術分野】
【０００１】
本発明は、映像記録・再生装置に係わり、特に録画予約技術に関する。
【背景技術】
【０００２】
映像を記録しまた再生する装置である映像記録・再生装置として、例えばHDD/DVDレコーダは、高機能・多機能化に向けて年々急速に進化している。利用者の利便性を向上させるための施策として高度な機能を使いこなせるために、一例として記録再生装置が録画予約の使用条件を把握しその使用条件にもとづいて自動設定するなどの、使い勝手を容易に高めることが可能と主張する記録再生装置もあった（特許文献１）。
【０００３】
しかしながらその設定の対象は、連続番組を途中から録画し始めた場合に、過去の関連番組を録画するための装置であり、現在放送中の番組の録画予約をトリガーに、同シリーズ番組の検索を行うというものであった。そのため、例えば最終回が終了した時点では対応できない、より一般的に言えば過去に録画した番組の関連番組を検索しさらには録画するという要請に応えるものではないという問題があった。
【特許文献１】特開２００２−５７９６９号公報
【発明の開示】
【発明が解決しようとする課題】
【０００４】
本発明は上記実情に鑑みてなされたものであり、ユーザへ過去に録画した番組の関連番組を検索する手段を提供することが可能な映像記録・再生装置を提供することを目的とする。
【課題を解決するための手段】
【０００５】
本発明に係る映像記録・再生装置は、番組を録画・再生する映像記録・再生装置であって、当該装置が録画した番組情報を記憶するための録画実績データベースと、前記データベースを用いて関連番組中の未録画番組を検出する検出手段と、かく検出した番組の放送予定を外部から受信した番組表データから検索する検索手段と、かく検索した番組の録画予約を実施する録画予約手段とを具備することを特徴とする。
【発明の効果】
【０００６】
本発明によれば、ユーザへ過去に録画した番組の関連番組を検索する手段を提供することが可能な映像記録・再生装置を得ることが可能となる。
【発明を実施するための最良の形態】
【０００７】
以下、図面を参照して、本発明の実施形態について説明する。
【実施例１】
【０００８】
本発明による実施例１を図１乃至図４を参照して説明する。
（構成）
図１は、本発明の一実施形態に係る映像記録・再生装置の構成を示すブロック図である。
初めに、図１の放送記録装置１０は、一例として、チューナ等をソースとして記録機能を有するデジタルテレビジョンである。しかしながら、チューナ等と記録機能とをもったハードディスクレコーダも同様に好適である。
【０００９】
従って、以下の図１を用いた実施形態の説明においては、記録機能をもったデジタルテレビジョンとして詳細に説明を行なうが、図１からディスプレイ２６を分離することにより、全く同様の機能をもったハードディスクレコーダとしての説明と解釈することが可能である。
【００１０】
図１において、デジタルテレビジョンである放送記録装置１０は、２種類のディスクドライブを有する。第1のメディアとしてハードディスクＨを駆動するハードディスクドライブ部１８と、第２のメディアとしてビデオファイルを構築できる情報記録媒体である光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１１】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、関連コンテンツ制御部４２、予約録画部・番組表生成部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１２】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１３】
（基本機能）
図２は、映像記録・再生装置の機能構成を示すシステム全体構成図である。図１の構成上に成り立っている。
本実施形態に係る映像記録・再生装置は、例えば各処理部の動作を統括的に制御するための処理部であるシステム制御用CPU101を有する。
操作部102は、リモコンRからの各種制御コマンドを受信する。制御コマンドとは、例えば、番組データの録画や、録画した番組の再生等を指示するコマンドである。
【００１４】
受信部103は、ネットワーク経由で、番組データと番組表データ(EPG)等の番組付加情報を受信するための処理部である。ここでネットワークとは、衛生放送や地上波放送、CATV、IP放送などの放送波や、インターネット等による通信を指し、特に限定されるものではない。受信した番組表データは、番組表情報104に一時的に記憶する。また、システム制御用CPU101により録画指示が発行された場合には、受信した番組データを、エンコーダ部105に出力する。
【００１５】
エンコーダ部105では、入力された番組データをエンコードし、番組保存領域106に記録する。また同時に、システム制御用CPU101により、録画対象番組の情報が、録画実績データベース108に記録される。
【００１６】
前記データベースで管理する情報には、図3の録画実績データベースの内容例に示すように、例えば、番組ID、シリーズID、番組名、チャンネル、放送日、開始時刻、終了時刻、番組情報（例えばEPGより得られる文字列）、ジャンル、放送回数等が含まれる。
【００１７】
また、システム制御用CPU101により、録画した番組の再生指示が発行された場合には、デコーダ部107が、番組保存領域106より番組データを読み出し、デコード後に出力部111に出力する。
【００１８】
未録画番組検出部109は、録画実績データベース108からシリーズ番組を検索し、その全放送回中に未録画番組が存在した場合、その番組情報を検出するための処理部である。録画予約制御部110では、未録画番組検出部109で検出された番組が、番組表情報104の放送予定に含まれていないかを検索し、含まれていた場合に、録画予約を実行する。
【００１９】
出力部111は、例えば、受信した番組表データや、デコードされた番組データ、録画予約の情報等を表示画面に出力する。
（基本動作）
次に、図４を用いて録画予約の処理手順の一例を説明する。
ステップ201では、録画実績データベース108からシリーズ番組を検索する。シリーズ番組の判定には、デジタル放送で既定されているSI情報のシリーズID(図3ではこれを利用)を利用しても良いし、TVA(TV Anytime Forum)で規定されているグループIDを利用しても良いし、もしくは番組情報の文字列から、タイトル名、話数などを解析して利用しても良い。
【００２０】
ステップ202では、当該シリーズ番組の全放送回数を取得する。録画実績データベースに全放送回数の情報が記録済みであればその情報を利用しても良いし、無い場合は、前記データベースに記録された番組情報の文字列を解析して取得する。
【００２１】
ステップ203では、S201、S202で取得した情報をもとに、当該シリーズ番組の全話が録画済みであるかを確認する。録画済みの場合は処理を終了する。
ステップ204では、S203で未録画番組が検出された場合は、未録画番組リストを生成する。
ステップ205では、受信部103から受信した番組表情報104中に、S204でリスト生成した未録画番組が含まれているかを検索する。
ステップ206では、S205での放送予定の検出判定により、放送予定が検出された場合はS207へ、検出されなかった場合は録画予約待ち状態に入りS208へ行く。
【００２２】
ステップ207では、当該未録画番組に対応する放送番組の録画予約を実行する。
ステップ208では、録画予約待ち解除が指示されるまで、一定時間おきに番組表検索S205に戻る。録画予約待ち解除が指示された場合は処理を終了する。
なお、上記実施形態に対しては、以下のような各種の変形実施が可能である。
・図４の処理を実施するタイミングは、装置の空き時間に自動的に作動するようにしても良いし、利用者がシリーズ番組のライブラリ化を行う時点をトリガーに実行しても良い。
【００２３】
・録画時間が不足していた番組の再録画を行う場合は、元の不完全な番組録画データを自動的に削除する手段を追加しても良い。
・シリーズ番組毎に永久保存版にする等の情報を設定できる手段を追加し、本装置の録画予約対象の番組を利用者が明示的に指定可能としても良い。
本実施例では、自身の録画実績から未録画番組(番組の一部のみ欠けている場合も含む)を検出し、当該番組を番組表データから検索および録画予約が可能な装置を提供する。利用者は、放送番組を自身で検索する手間なく、また現時点で放送予定がない番組についても、当該番組を半永久的に(予約解除を行うまで)検索し、確実に自動取得することが可能となる。特に、前述した既存の各種考案手段では不可能であったシリーズ番組の放送終了後などに、当該番組をライブラリ保存する際の未録画番組補完手段としても好適な装置である。
【００２４】
シリーズ番組の録画を支援する手段は各種考案されている。例えば、現在録画を行った番組の次回の番組を自動的に録画予約する方法などがある。しかしこれらは、現在放送中のシリーズ番組の録画を支援するためのものであり、放送終了後の番組に対応することができない。そのため、現在は未来の番組表から未録画番組の再放送予定を利用者自身が探し出し、録画予約を行う必要がある。
【００２５】
デジタル放送の普及に伴い、チャンネル数が増加し、再放送の機会も増えることが予想されるが、一方で、特定の番組を検索することは非常に困難になってきている。検索を支援する手段として、番組名などのキーワードを与えて検索を行う方法などが考案されているが、特定の未録画番組のみを的確に検索するのは容易ではない。
【００２６】
しかしながら、本発明では、過去に一回でも録画した番組がある場合、同シリーズ番組を検索することが可能である。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２７】
【図１】本発明の一実施形態に係る映像記録・再生装置の構成を示すブロック図。
【図２】映像記録・再生装置の機能構成を示すシステム全体構成図。
【図３】録画実績データベースに記憶される情報の一例を示す図。
【図４】録画予約の処理フロー例。
【符号の説明】
【００２８】
１０１…システム制御用CPU、１０２…操作部、１０３…受信部、１０４…番組表情報、１０５…エンコーダ部、１０６…番組保存領域、１０７…デコーダ部、１０８…録画実績データベース、１０９…未録画番組検出部、１１０…録画予約制御部、１１１…出力部。
【図１】
2008294526.tif 000003
【図２】
2008294526.tif 000004
【図３】
2008294526.tif 000005
【図４】
2008294526.tif 000006